(57)【要約】【課題】特定情報を有していない他の記録媒体を装着した場合でも、自動的に所定のコンテンツを記録させることが可能な情報記録装置及び情報記録方法を提供する。【解決手段】情報記録装置１は、所定のコンテンツを指定するための特定情報を記録媒体２７が有するか否かを検出する検出手段１７と、所定のコンテンツの記録媒体２７に対する記録に関する履歴情報を蓄積する履歴情報蓄積手段１７と、検出手段１７によって記録媒体２７Ａが特定情報を有すると判断される場合、記録媒体２７Ａに所定のコンテンツを記録させると共に、検出手段１７によって記録媒体２７Ｂが特定情報を有しないと判断される場合、履歴情報蓄積手段１７における履歴情報に基づいて、特定情報を有しない記録媒体２７Ｂに所定のコンテンツを記録させるコンテンツ記録手段１７と、を具備する。【選択図】図１
2010056993.tif 000002
【特許請求の範囲】
【請求項１】
所定のコンテンツを指定するための特定情報を記録媒体が有するか否かを検出する検出手段と、
上記所定のコンテンツの上記記録媒体に対する記録に関する履歴情報を蓄積する履歴情報蓄積手段と、
上記検出手段によって上記記録媒体が上記特定情報を有すると判断される場合、上記記録媒体に上記所定のコンテンツを記録させると共に、上記検出手段によって上記記録媒体が上記特定情報を有しないと判断される場合、上記履歴情報蓄積手段における上記履歴情報に基づいて、上記特定情報を有しない上記記録媒体に上記所定のコンテンツを記録させるコンテンツ記録手段と、
を具備することを特徴とする情報記録装置。
【請求項２】
前記コンテンツ記録手段は、前記検出手段によって前記記録媒体が前記特定情報を有しないと判断される場合において、前記所定のコンテンツを記録する記録モードに設定されている場合に、前記履歴情報蓄積手段における前記履歴情報に基づいて、前記特定情報を有しない前記記録媒体に前記所定のコンテンツを記録させる、
ことを特徴とする請求項１記載の情報記録装置。
【請求項３】
前記コンテンツ記録手段は、前記所定のコンテンツを前記記録媒体に記録する記録モードに対応している専用記録対応スロットと、前記所定のコンテンツを前記記録媒体に記録する記録モードに対応していない専用記録非対応スロットとを有すると共に、
前記コンテンツ記録手段は、前記検出手段によって前記記録媒体が前記特定情報を有しないと判断される場合において、上記専用記録対応スロットに前記特定情報を有しない前記記録媒体が配置された場合に、前記履歴情報蓄積手段における前記履歴情報に基づいて、前記特定情報を有しない前記記録媒体に前記所定のコンテンツを記録させる、
ことを特徴とする請求項１記載の情報記録装置。
【請求項４】
前記履歴情報は、過去の前記記録モードでの前記所定のコンテンツの記録の開始時刻に関する情報を有すると共に、
前記コンテンツ記録手段は、上記記録の開始時刻に関する情報が、未だ現在時刻に到達しないもののうち最も近い前記所定のコンテンツについて、前記特定情報を有しない前記記録媒体に記録させる、
ことを特徴とする請求項２または３記載の情報記録装置。
【請求項５】
前記履歴情報は、過去の前記記録モードでの前記所定のコンテンツの記録の開始時刻に関する情報を有すると共に、
前記コンテンツ記録手段は、現在時刻が上記履歴情報の記録の開始時刻を経過していていも所定の範囲内に存在する前記所定のコンテンツについて、前記特定情報を有しない前記記録媒体に記録させる、
ことを特徴とする請求項２または３記載の情報記録装置。
【請求項６】
前記記録媒体は、メモリカードであることを特徴とする請求項１から５のいずれか１項に記載の情報記録装置。
【請求項７】
所定のコンテンツを指定するための特定情報を記録媒体が有するか否かを検出する検出ステップと、
上記所定のコンテンツの上記記録媒体に対する記録に関する履歴情報を蓄積する履歴情報蓄積ステップと、
上記検出ステップによって上記記録媒体が上記特定情報を有すると判断される場合、上記記録媒体に上記所定のコンテンツを記録させると共に、上記検出ステップによって上記記録媒体が上記特定情報を有しないと判断される場合、上記履歴情報蓄積ステップにおける上記履歴情報に基づいて、上記特定情報を有しない上記記録媒体に上記所定のコンテンツを記録させるコンテンツ記録ステップと、
を具備することを特徴とする情報記録方法。
【発明の詳細な説明】
【技術分野】
【０００１】
本発明は、情報記録装置および情報記録方法に関する。
【背景技術】
【０００２】
従来より、ラジオ番組の音声情報をカセットテープやＭＤ等の記録媒体に記録（録音）したり、テレビ番組の画像情報や音声情報をビデオテープやＤＶＤ等の記録媒体に記録（録画・録音）したりする情報記録装置が実用化されている。これらの情報記録装置にて使用されるＭＤやＤＶＤ等の記録媒体は、いずれも、記録装置に対して着脱自在な「リムーバブルメディア」である。
【０００３】
また、近年においては、アナログ地上波放送、さらには通信衛星や放送衛星等を介して伝送される多チャンネルのラジオやテレビ番組の画像情報や音声情報を、所定期間分まとめてハードディスク等に蓄積し、この蓄積した情報の中から所望の番組の画像情報や音声情報のみを選択して、ＤＶＤ等のリムーバブルメディアに記録する情報記録装置が提案されている（例えば、特許文献１参照）。また、記録メディアとして、ＤＶＤ等ではなくメモリカードを装着し、装着したメモリカードに格納されているオーディオ設定情報を用いて、動作させる技術も存在する（例えば、特許文献２参照）。
【０００４】
【特許文献１】特開２００５−２９３６２４号公報
【特許文献２】特開平１１−３１７０６３号公報
【発明の開示】
【発明が解決しようとする課題】
【０００５】
ところで、上述のオーディオ設定情報のような設定情報（特定情報）を有しているメモリカードを装着すると、マイクロコンポ等の情報記録装置は、この特定情報に基づいて、メモリカードに記録を行っている。例えば、毎日決まった時刻の放送プログラムＡを毎回記録している場合、その放送プログラムＡを記録するための特定情報を有するメモリカードを、メモリカードスロットに装着したままにしておくか、または記録する時間には必ず装着しておく必要がある。
【０００６】
しかしながら、ユーザは、複数のメモリカードを所有していることが多い。そのため、放送プログラムＡが開始される時刻に、その放送プログラムＡの記録に対応させている特定情報を有するメモリカードを装着しようとしても、見当たらない場合がある。
【０００７】
このような場合、特定情報を有していない他のメモリカードをメモリカードスロットに装着し、手動で記録を開始させ、手動で記録を終了させる必要があり、手間が掛かるという問題がある。
【０００８】
本発明は、上記問題に鑑みて成されたものであり、特定情報を有していない他の記録媒体を装着した場合でも、自動的に所定のコンテンツを記録させることが可能な情報記録装置及び情報記録方法を提供することを目的とする。
【課題を解決するための手段】
【０００９】
上述の目的を達成するため、本発明の情報記録装置は、所定のコンテンツを指定するための特定情報を記録媒体が有するか否かを検出する検出手段と、所定のコンテンツの記録媒体に対する記録に関する履歴情報を蓄積する履歴情報蓄積手段と、検出手段によって記録媒体が特定情報を有すると判断される場合、記録媒体に所定のコンテンツを記録させると共に、検出手段によって記録媒体が特定情報を有しないと判断される場合、履歴情報蓄積手段における履歴情報に基づいて、特定情報を有しない記録媒体に所定のコンテンツを記録させるコンテンツ記録手段と、を具備するものである。
【００１０】
また、本発明の情報記録装置は、上記発明において、コンテンツ記録手段は、検出手段によって記録媒体が特定情報を有しないと判断される場合において、所定のコンテンツを記録する記録モードに設定されている場合に、履歴情報蓄積手段における履歴情報に基づいて、特定情報を有しない記録媒体に所定のコンテンツを記録させることが好ましい。
【００１１】
また、本発明の情報記録装置は、上記発明において、コンテンツ記録手段は、所定のコンテンツを記録媒体に記録する記録モードに対応している専用記録対応スロットと、所定のコンテンツを記録媒体に記録する記録モードに対応していない専用記録非対応スロットとを有すると共に、コンテンツ記録手段は、検出手段によって記録媒体が特定情報を有しないと判断される場合において、専用記録対応スロットに特定情報を有しない記録媒体が配置された場合に、履歴情報蓄積手段における履歴情報に基づいて、特定情報を有しない記録媒体に所定のコンテンツを記録させることが好ましい。
【００１２】
また、本発明の情報記録装置は、上記発明において、履歴情報は、過去の記録モードでの所定のコンテンツの記録の開始時刻に関する情報を有すると共に、コンテンツ記録手段は、記録の開始時刻に関する情報が、未だ現在時刻に到達しないもののうち最も近い所定のコンテンツについて、特定情報を有しない記録媒体に記録させることが好ましい。
【００１３】
また、本発明の情報記録装置は、上記発明において、履歴情報は、過去の記録モードでの所定のコンテンツの記録の開始時刻に関する情報を有すると共に、コンテンツ記録手段は、現在時刻が履歴情報の記録の開始時刻を経過していていも所定の範囲内に存在する所定のコンテンツについて、特定情報を有しない記録媒体に記録させることが好ましい。
【００１４】
また、本発明の情報記録装置は、上記発明において、記録媒体は、メモリカードであることが好ましい。
【００１５】
また、本発明の情報記録方法は、所定のコンテンツを指定するための特定情報を記録媒体が有するか否かを検出する検出ステップと、所定のコンテンツの記録媒体に対する記録に関する履歴情報を蓄積する履歴情報蓄積ステップと、検出ステップによって記録媒体が特定情報を有すると判断される場合、記録媒体に所定のコンテンツを記録させると共に、検出ステップによって記録媒体が特定情報を有しないと判断される場合、履歴情報蓄積ステップにおける履歴情報に基づいて、特定情報を有しない記録媒体に所定のコンテンツを記録させるコンテンツ記録ステップと、を具備するものである。
【発明の効果】
【００１６】
本発明によれば、特定情報を有していない他の記録媒体を装着した場合でも、自動的に所定のコンテンツを記録させることが可能となる。
【発明を実施するための最良の形態】
【００１７】
以下、図面を参照して本発明を実施するための最良の形態を説明する。なお、以下の説明では、情報記録装置としてマイクロコンポを例に説明し、このマイクロコンポによって情報の記録が行われる記録媒体として、メモリカードを例に説明するが、これに限定されるものではない。例えば、記録媒体として、メモリカードの他に、記録・再生の可能な他のリムーバブルメディアであっても本発明を適用可能である。
【００１８】
図１は、本実施の形態に係るマイクロコンポ１の構成を示すブロック図である。このマイクロコンポ１は、本実施の形態では、２個のメモリカードスロット（単にスロットとも称する）と、３個の入力部（受信手段）を備えるものとして説明するが、これに限られるものではなく、３個以上のメモリカードスロットや、４個以上の入力部を備える構成としてもよい。
【００１９】
マイクロコンポ１は、図１に示すように、アンテナ１０、チューナー部１１、ＡＵＸ（Auxiliary）端子１２、表示部１３，２３、操作部１４、セレクタ１５、ＣＤ再生部１６、システムマイコン１７、ＡＤＣ１８、入力切替部１９、ＤＳＰ２０、ＤＡＣ２１、再生部２２、スピーカ２４、記録再生部２５、メモリカード２７を装填（装着）可能なメモリカードスロット２６を備える。
【００２０】
なお、このマイクロコンポ１のうち、システムマイコン１７、記録再生部２５、およびメモリカードスロット２６は、検出手段に対応する。また、システムマイコン１７、入力切替部１９、ＤＳＰ２０、記録再生部２５、およびメモリカードスロット２６等は、コンテンツ記録手段に対応する。また、履歴情報蓄積手段は、システムマイコン１７（その中で特に図示しない記憶部）が対応する。また、専用記録対応スロットは、メモリカードスロット２６Ａが対応する。また、専用記録非対応スロットは、メモリカードスロット２６Ｂが対応する。
【００２１】
アンテナ１０は、ラジオ放送局やテレビ放送局（アナログ放送やデジタル放送、さらには地上放送、衛星放送等を含む）からの電波（電磁波）を受信し、高周波電流に変換し、受信手段であるチューナー部１１に対して出力する。
【００２２】
受信手段であるチューナー部１１は、アンテナ１０より入力された高周波電流（無線のラジオ放送・テレビ放送）を、システムマイコン１７の制御に基づいて選局し、音声・映像信号（アナログ信号）に変換した後、セレクタ１５に出力する。
【００２３】
ＡＵＸ端子１２は、外部機器を接続するための入力端子であり、ＣＤ／ＭＤ／ＤＶＤプレイヤーやチューナー等の外部機器がケーブルで接続される。入力された音声・映像信号（アナログ信号）は、セレクタ１５に出力される。
【００２４】
表示部１３は、システムマイコン１７により、メモリカードスロット２６にメモリカード２７が挿入（装填）されたタイミングにて読み出された後述の特定情報およびメモリカードスロット番号等を表示する。
【００２５】
操作部１４は、シリーズで放送されるような特定の番組等のような同一のカテゴリを有する画像情報や音声情報を、一枚の当該特定のメモリカード２７に記録するための情報である特定情報を、システムマイコン１７の制御のもと、メモリカード２７内部に書き込む。
【００２６】
セレクタ１５は、チューナー部１１より入力された音声信号や映像信号（アナログ信号）等、または、ＡＵＸ端子１２より入力された音声・映像信号（アナログ信号）等の何れか一方を、システムマイコン１７の制御信号に基づいて選択し、ＡＤＣ１８に出力する。
【００２７】
ＣＤ再生部１６は、ＣＤがＣＤ再生部１６のトレイまたはスロット（図示せず）に挿入されたことをシステムマイコン１７に通知すると共に、システムマイコンの制御信号に基づいてＣＤの再生を行う。そして、再生された音声信号や映像信号（デジタル信号）を入力切換部１９に出力する。
【００２８】
システムマイコン１７は、ＣＰＵ等により構成され、マイクロコンポ１全体の制御を行う。また、システムマイコン１７は、不図示のメモリ（ＥＥＰＲＯＭやＲＡＭ等）を有していて、メモリカード２７や他の記録媒体への記録に関する履歴情報を蓄積可能としている。また、システムマイコン１７は、メモリカード２７がメモリカードスロット２６に挿入されたことを通知する信号を記録再生部２５より受信すると、記録再生部２５を制御して、当該メモリカード２７内部に書き込まれている特定情報および記録再生部２５が検出したスロット番号を読み出し、システムマイコン１７内部にある記憶部（ＲＡＭ等：図示せず）に、特定情報とスロット番号とをリンクさせて記憶する。
【００２９】
また、システムマイコン１７は、記憶部に記憶された特定情報の条件が満たされた状態を検出すると、受信手段（チューナー部１１やＡＵＸ部１２やＣＤ再生部１６）を制御して音声信号及び／又は映像信号を読み出し、この特定情報とリンクさせて記録されているスロット番号を有するメモリカードスロット２６に挿入されたメモリカード２７に、受信手段より読み出された音声信号や映像信号（デジタル信号）を書き込む制御を行う。
【００３０】
ＡＤＣ（Ａ／Ｄコンバータ）１８は、アナログ信号をデジタル信号に変換する回路により構成され、システムマイコン１７の制御のもと、セレクタ１５より入力された音声信号や映像信号（アナログ信号信号）をデジタル信号に変換して、入力切換部１９に出力する。
【００３１】
入力切換部１９は、システムマイコン１７よりの指示に基づいて、ＡＤＣ１８より入力された音声信号や映像信号（デジタル信号）、または、ＣＤ再生部１６より入力された音声信号や映像信号（デジタル信号）の何れか一方を選択して、ＤＳＰ（Digital Signal Processor）２０に出力する。
【００３２】
ＤＳＰ２０は、音声や画像などの処理に特化したマイクロプロセッサであって、システムマイコン１７からの制御信号に基づいて、入力切換部１９より入力された音声信号や映像信号（デジタル信号）をエンコードして記録再生部２５に出力、または、デコードしてＤＡＣ２１に出力する。また、ＤＳＰ２０は、記録再生部２５より入力された音声信号や映像信号（デジタル信号）をデコードして、ＤＡＣ２１に出力する。
【００３３】
ＤＡＣ（Ｄ／Ａコンバータ）２１は、デジタル信号をアナログ信号に変換する回路により構成され、システムマイコン１７の制御のもと、ＤＳＰ２０より入力された音声信号や映像信号（デジタル信号）をアナログ信号に変換して、再生部２２に出力する。
【００３４】
再生部２２は、ＤＳＰ２０より入力された音声信号や映像信号（アナログ信号）における音声信号をスピーカ２４に、映像信号を表示部２３に、それぞれ出力する。
【００３５】
記録再生部２５は、メモリカードスロット２６Ａ，２６Ｂ（以下、メモリカードスロット２６Ａ，２６Ｂを総称する場合には、単にメモリカードスロット２６とする。）にメモリカード２７が挿入（装填）されると、メモリカード２７がメモリカードスロット２６に挿入されたことを通知する信号を、システムマイコン１７に出力する。また、記録再生部２５は、システムマイコン１７よりの制御信号に基づいて、挿入されたメモリカード２７より特定情報を読み出し、記録再生部２５が認識した当該メモリカード２７が挿入されたメモリカードスロット２６のスロット番号と共に、システムマイコン１７に供給する。
【００３６】
なお、後述するように、特定情報がメモリカード２７に記憶されていない場合もある。その場合には、プログラムＲＥＣモード（記録モードに対応）において、システムマイコン１７の内部に存在する記憶部（ＥＥＰＲＯＭ等：図示せず）に、現在までに実行され、蓄積されている特定情報の履歴に関する情報（履歴情報）を検出して、特定情報が記憶されている以外のメモリカード２７に、特定情報の条件が満たされた場合と同様に、音声信号や映像信号（デジタル信号）を書き込む制御を行う。
【００３７】
また、メモリカードスロット２６Ａは、プログラムＲＥＣモード（記録モードに対応）に対応している一方、メモリカードスロット２６Ｂは、プログラムＲＥＣモードに対応していない。なお、メモリカード２７のうち、特定情報を有するものをメモリカード２７Ａとし、特定情報を有しないものをメモリカード２７Ｂとするが、両者を区別する必要がない場合、単にメモリカード２７と称呼する。
【００３８】
また、プログラムＲＥＣモードとは、後述する図２、図３に示すような特定情報の条件が満たされた場合に、マイクロコンポ１がメモリカード２７に音声信号や映像信号を記録させるように動作するモードのことを指す。
【００３９】
また、記録再生部２５は、システムマイコン１７の制御のもと、ＤＳＰ２０にてエンコードされた音声信号や映像信号（デジタル信号）をメモリカードスロット２６を介して当該メモリカードスロット２６に挿入されたメモリカード２７に記録する。また、記録再生部２５は、システムマイコン１７からの制御信号に従って、所定のメモリカード２７よりメモリカードスロット２６を介して読み出された音声信号や映像信号（デジタル信号）を、ＤＳＰ２０に出力する。
【００４０】
次に、図２および図３を参照して、上述の特定情報について説明する。図２は、ソースが放送局である場合における特定情報の作成例を示す図であり、図３は、ソースが放送局以外である場合における特定情報の作成例を示す図である。
【００４１】
図２（Ａ）は、特定のメモリカードに、ラジオ番組である日常英会話を記録するための特定情報の一例を示している。図２（Ａ）に示すように、この場合の設定項目としては、ソース、番組名、放送局、周波数、放送時間、および放送日等がある。設定内容としては、ソースとしてラジオ、番組名として日常英会話、放送局として×○放送、周波数として△○ＫＨｚ、放送時間として０７：００〜０７：１５、放送日として月〜金がそれぞれ設定されている。ここで、特定情報の条件が満たされた状態とは、受信手段にて受信された音声信号や映像信号が、上述の設定内容（ソースとしてラジオ、番組名として日常英会話、放送局として×○放送、周波数として△○ＫＨｚ、放送時間として０７：００〜０７：１５、放送日として月〜金）と一致した状態をいう。
【００４２】
このように設定することにより、月〜金曜日の毎日、０７：００〜０７：１５の時間帯に放送される日常英会話が、特定のメモリカード（この特定情報の記録されたメモリカード）に記録されることとなる。
【００４３】
図２（Ｂ）は、特定のメモリカードに、テレビ番組である連続ドラマ×××を記録するための特定情報の一例を示している。図２（Ｂ）に示すように、この場合の設定項目としては、ソース、番組名、放送局、周波数、放送時間、および放送日等がある。設定内容としては、ソースとしてテレビ、番組名として連続ドラマ×××、放送局として△○×放送、周波数として×○ＭＨｚ、放送時間として２１：００〜２１：５４、放送日として土曜日がそれぞれ設定されている。ここで、特定情報の条件が満たされた状態とは、受信手段にて受信された音声信号や映像信号が、上述の設定内容（ソースとしてテレビ、番組名として連続ドラマ×××、放送局として△○×放送、周波数として×○ＭＨｚ、放送時間として２１：００〜２１：５４、放送日として土曜日）と一致した状態をいう。
【００４４】
このように設定することにより、毎週土曜日、２１：００〜２１：５４の時間帯に放送される連続ドラマ×××が、特定のメモリカード（この特定情報の記録されたメモリカード）に記録（いわゆる帯撮り）されることとなる。
【００４５】
図３（Ａ）は、特定のメモリカードに、ＣＤに記録された音楽等を記録するための特定情報の一例を示している。図３（Ａ）に示すように、この場合の設定項目としては、ソース、ジャンル、アーティスト、発売年、および録音時間等がある。設定内容としては、ソースとしてＣＤ、ジャンルとしてＪ−ＰＯＰ、アーティストとして△○×、発売年として××年、録音時間として８０分がそれぞれ設定されている。ここで、特定情報の条件が満たされた状態とは、受信手段にて受信された音声信号や映像信号が、上述の設定内容（例えば、ソースとしてＣＤ、ジャンルとしてＪ−ＰＯＰ、アーティストとして△○×、発売年として××年、録音時間として８０分）と一致した状態をいう。
【００４６】
このように設定することにより、当該特定情報に設定された条件と一致するＣＤに記録された内容が、特定のメモリカード（この特定情報の記録されたメモリカード）に記録されることとなる。なお、この特定情報と一致するしないの判断は、例えば、インターネットと接続された（図示せず）システムマイコン１７が、ＣＤＤＢ（CD DataBase）にアクセスすることにより行われる。また、このような情報が得られない場合もあるので、ジャンル、アーティスト、発売年、および録音時間等の設定は行わないようにしても良い。
【００４７】
図３（Ｂ）は、特定のメモリカードに、ＡＵＸ端子１２より入力された音声信号や映像信号（アナログ信号）を記録するための特定情報の一例を示している。図３（Ｂ）に示すように、この場合の設定項目としては、ソース、ジャンル、アーティスト、発売年、および録音時間等がある。設定内容としては、ソースとしてＡＵＸが設定されている。ここで、特定情報の条件が満たされた状態とは、受信手段にて受信された音声信号や映像信号が、上述の設定内容（例えば、ソースとしてＡＵＸ）と一致した状態をいう。
【００４８】
このように設定することにより、ＡＵＸ端子１２より入力された内容が、特定のメモリカード（この特定情報の記録されたメモリカード）に記録されることとなる。なお、ＡＵＸ入力の場合は、入力される信号（音声信号や映像信号）のジャンル、アーティスト、発売年、および録音時間等の自動判別ができないため、自動判別の場合には、これらの入力（設定）は行わないようにしても良い。
【００４９】
なお、この特定情報の入力・設定は、システムマイコン１７の制御のもと、表示部１３を見ながら操作部１４を操作することにより行われる。設定操作については、公知の方法にて行われるので、説明は省略する。また、この特定情報のメモリカード２７への設定作業は、メモリカード２７へのシステムマイコン１７による記録制御が行われる前に、事前に各メモリカード毎に行っておくものとする。
【００５０】
＜第１の情報記録方法に関して＞
次に、本実施の形態に係るマイクロコンポ１を用いた第１の情報記録方法について説明する。図４は、本実施の形態における第１の情報記録方法の記録手順の一例を示したフローチャートである。なお、第１の情報記録方法では、メモリカードスロット２６Ａ，２６Ｂの区別はなく、２つのメモリカードスロット２６がプログラムＲＥＣ可能となっている。
【００５１】
先ず、システムマイコン１７は、メモリカードスロット２６にメモリカード２７が装填（装着）されたか否かを判断し（ステップＳ１）、装填されていないと判断された場合には、所定時間経過後に再度、ステップＳ１を実行し、装填されたと判断された場合には、ステップＳ２に移行する。
【００５２】
ステップＳ２に移行すると、メモリカード２７に特定情報があるか否かを判断する。この判断において、メモリカード２７に特定情報が記憶されている場合、続いて現在のシステムマイコン１７における設定が、プログラムＲＥＣモードであるか否かを判断する（ステップＳ３）。ステップＳ３の判断においてプログラムＲＥＣモードであると判断される（Ｙｅｓであると判断される）と、プログラムＲＥＣを開始させる（ステップＳ４）。それにより、システムマイコン１７は、メモリカード２７に対して、受信手段より読み出された音声情報及び／又は映像情報の記録を開始させる。
【００５３】
なお、ステップＳ４に続いて、音声情報及び／又は映像情報の記録が終了したか否かを判断する（ステップＳ５）。このステップＳ５の判断でＹｅｓの場合、システムマイコン１７は、音声情報及び／又は映像情報の記録を終了させる。また、ステップＳ５の判断でＮｏの場合、ステップＳ４に戻り、受信手段より読み出された音声情報及び／又は映像情報の記録を継続させる。
【００５４】
なお、上述のステップＳ３において、現在のシステムマイコン１７の設定が、プログラムＲＥＣモードでないと判断される場合（Ｎｏの場合）、システムマイコン１７では、マイクロコンポ１が、通常の記録再生動作が可能である状態となる（ステップＳ６）。すなわち、ユーザの操作に応じた記録再生を行える状態となり、例えば、ユーザの操作が所定のＣＤの再生である場合には、当該ＣＤの再生を行う。
【００５５】
また、ステップＳ２において、メモリカード２７に特定情報がないと判断される場合（Ｎｏの場合）にも、上述のステップＳ３と同様に、現在のシステムマイコン１７における設定が、プログラムＲＥＣモードであるか否かを判断する（ステップＳ７）。
【００５６】
このステップＳ７の判断において、プログラムＲＥＣモードである（Ｙｅｓである）と判断される場合、続いて、システムマイコン１７の内部に存在する記憶部（ＥＥＰＲＯＭ等：図示せず）に、現在までに実行され、蓄積されている特定情報の履歴に関する情報（プログラムＲＥＣの履歴情報）が蓄積されているか否かを判断する（ステップＳ８）。この判断で、プログラムＲＥＣの履歴情報が蓄積されていると判断される場合（Ｙｅｓの場合）、蓄積されているプログラムＲＥＣの履歴情報の中から時間情報が現在時刻に直近するプログラムＲＥＣを開始させる（ステップＳ９）。
【００５７】
なお、ステップＳ９に続いて、音声情報及び／又は映像情報の記録が終了したか否かを判断する（ステップＳ１０）。このステップＳ１０の判断でＹｅｓの場合、システムマイコン１７は、音声情報及び／又は映像情報の記録を終了させる。また、ステップＳ１０の判断でＮｏの場合、ステップＳ９に戻り、受信手段より読み出された音声情報及び／又は映像情報の記録を継続させる。
【００５８】
また、ステップＳ７の判断において、プログラムＲＥＣモードでない（Ｎｏである）と判断される場合、ステップＳ６と同様の処理（ステップＳ１１）を行う。すなわち、システムマイコン１７では、マイクロコンポ１が、通常の記録再生動作が可能である状態となる。
【００５９】
ここで、上述の処理フローに従った場合の一例を挙げる。例えば、ユーザは、ＦＭ８９５（受信周波数８９．５ＭＨｚ）において毎日放送している放送プログラムＡ（放送時刻２１：００〜２１：５４）を記録するための特定情報を有するメモリカード２７Ａを所有し、これをマイクロコンポ１に装着することで、マイクロコンポ１は自動的にメモリカード２７ＡにプログラムＡを記録している。
【００６０】
しかしながら、ユーザは当該プログラムＡが開始される前（例えば２０：５８）にプログラムＡを記録しようとして、マイクロコンポ１にメモリカード２７Ａを装着しようとしたが、メモリカード２７Ａは見当たらなかった（これは、図４のステップＳ２でＮｏの側に進む場合に相当。）。このため、ユーザは他のメモリカード２７Ｂを装着し、マイクロコンポ１をプログラムＲＥＣモードとした（これは、図４のステップＳ７でＹｅｓ側に進む場合に相当。）。
【００６１】
マイクロコンポ１は、ステップＳ９により、現在までに実行され蓄積されたプログラムＲＥＣの履歴情報より２０：５８に直近する開始時刻を有する、メモリカード２７Ａに記録された特定情報の履歴を検出し、同一のプログラムＲＥＣを開始し、メモリカード２７Ｂに記録させる。
【００６２】
以上のように、メモリカード２７Ｂに特定情報が記録されていない場合であっても、プログラムＲＥＣの履歴情報から、当該メモリカード２７Ｂに、プログラムＲＥＣを実行させることが可能となる。
【００６３】
＜第２の情報記録方法に関して＞
次に、本実施の形態に係るマイクロコンポ１を用いた第２の情報記録方法について説明する。図５は、本実施の形態における第２の情報記録方法の記録手順の一例を示したフローチャートである。
【００６４】
なお、図５に示す第２の情報記録方法に関する処理フローは、基本的には、上述の第１の情報記録方法に関する処理フローと共通している。しかしながら、第２の情報記録方法に関する処理フローでは、図４におけるステップＳ３およびステップＳ７の部分が変更されている。そして、この部分は、図５に示すように、ステップＳ３１、およびステップＳ７１となっている。
【００６５】
第２の情報記録方法では、以下のような状態を想定している。すなわち、マイクロコンポ１は、上述のプログラムＲＥＣが可能なメモリカードスロット２６Ａと、通常の記録再生用のメモリカードスロット２６Ｂとを有している。そして、メモリカードスロット２６Ａに、いずれかのメモリカード２７が差し込まれた場合には、プログラムＲＥＣが実行されるようになっている。
【００６６】
図５におけるステップＳ３１およびステップＳ７１では、メモリカードスロット２６Ａに、メモリカード２７Ａまたはメモリカード２７Ｂが差し込まれたのかを、判定している。すなわち、メモリカードスロット２６Ａにメモリカード２７Ａまたはメモリカード２７Ｂが差し込まれた場合（Ｙｅｓの場合）、ステップＳ４またはステップＳ８に進行して、プログラムＲＥＣを開始する。逆に、メモリカードスロット２６Ｂにメモリカード２７Ａまたはメモリカード２７Ｂが差し込まれた場合（Ｎｏの場合）、ステップＳ６またはステップＳ１１に進行し、通常の記録再生動作が可能である状態となる。
【００６７】
ここで、上述の処理フローに従った場合の一例を挙げる。例えば、ユーザは、ＦＭ８９５（受信周波数８９．５ＭＨｚ）において毎日放送している放送プログラムＡ（放送時刻２１：００〜２１：５４）を記録するためのコンテンツ指定情報（特定情報）を有するメモリカード２７Ａを所有していて、これをマイクロコンポ１に装着することで、マイクロコンポ１は自動的にメモリカード２７ＡにプログラムＡを記録している。
【００６８】
ところで、ユーザは当該プログラムＡが開始される前（例えば２０：５８）にプログラムＡを記録しようとして、マイクロコンポ１にメモリカード２７Ａを装着しようとしたが、メモリカード２７Ａは見当たらなかった。そこで、ユーザは、他のメモリカード２７Ｂ（特定情報の記録されていないメモリカード２７）をプログラムＲＥＣ用のカードスロット２６Ａに装着した。
【００６９】
マイクロコンポ１は、現在までに実行され蓄積されたプログラムＲＥＣの履歴情報より２０：５８に直近する開始時刻を有する特定情報の履歴を検出し(今回の場合はメモリカード２７Ａに記録された内容（ＦＭ８９５（受信周波数８９．５ＭＨｚ）放送プログラムＡ（放送時刻２１：００〜２１：５４））となる、同一のプログラムＲＥＣを開始し、メモリカード２６Ｂに記録させる。
【００７０】
以上のように、第２の情報記録方法によると、メモリカード２７Ｂに特定情報が記録されていない場合であっても、プログラムＲＥＣの履歴情報から、当該メモリカード２７Ｂに、プログラムＲＥＣを実行させることが可能となる。
【００７１】
なお、上述の第１の情報記録方法と、第２の情報記録方法とを纏めて場合分けすると、図６に示すようになる。図６では、場合分けする要素としては、特定情報が記録されたメモリカード２７Ａの有り／無しと、プログラムＲＥＣモードのＯＮ／ＯＦＦとで、実現される動作の結果が異なっている。
【００７２】
すなわち、特定情報を有するメモリカード２７Ａが有りであって、プログラムＲＥＣがＯＮの場合、特定情報に基づいてプログラムＲＥＣが開始させられる。また、特定情報を有するメモリカード２７Ａが有りであって、プログラムＲＥＣがＯＦＦの場合、通常の記録再生動作が可能となる。また、特定情報を有するメモリカード２７Ａが無しであって、プログラムＲＥＣがＯＮの場合、以前にプログラムＲＥＣを行いプログラム内容が蓄積されている中で、開始時刻が現在時刻の後であって最も近いプログラムＲＥＣを開始させる。また、特定情報を有するメモリカード２７Ａが無しであって、プログラムＲＥＣがＯＦＦの場合、通常の記録再生動作が可能となる。
【００７３】
以上、本発明の好適な実施の形態について説明したが、本発明はこれに限られるものではない。
【００７４】
上述の実施の形態における例示では、ユーザは当該プログラムＡが開始される前（例えば２０：５８）にプログラムＡを記録しようとしている場合について説明している。しかしながら、例えば放送プログラムＡ（放送時刻２１：００〜２１：５４）において、２１：０３のように放送プログラムＡの開始後にユーザがメモリカード２７Ｂを装着しても、ステップＳ９における履歴情報の中で直近のものがある場合、メモリカード２７Ｂを装着した時点から、メモリカード２７Ｂに記録を開始するようにしても良い。
【００７５】
その場合、プログラムＲＥＣに対応するメモリカード２７Ｂの装着が放送プログラムＡの開始時間に間に合わない場合（装着し忘れた場合）であっても、可能な限り、手元にある他のメモリカード２７Ｂに、放送プログラムＡを記録させることが可能となる。
【００７６】
例えば、ＤＳＰ２０は、情報（デジタル信号）が入力された場合、必ずエンコードまたはデコード処理を行っているが、必ずしもその必要は無く、必要に応じて行わなくても良い。なお、その判断はシステムマイコン１７によって行われ、ＤＳＰ２０はシステムマイコン１７からの制御信号に基づいてその処理内容を決定する。
【００７７】
また、記録媒体として、半導体メモリカードを例に説明したが、これに限られることは無く、例えば、ＤＶＤやＣＤやハードディスク等、小型、軽量、大記憶容量で、記録再生が高速な記録媒体であれば本発明に適用可能である。
【００７８】
また、メモリカード２７にフォルダを持たせ、そのフォルダ毎に特定情報をリンクさせるようにしてもよい。これにより、１つのメモリカードで、複数（フォルダの数分）のメモリカードを持ったのと同様の効果を得ることができる。
【図面の簡単な説明】
【００７９】
【図１】本実施の形態に係るマイクロコンポ１の構成を示すブロック図である。
【図２】ソースが放送局である場合における特定情報の作成例を示す図である。
【図３】ソースが放送局以外である場合における特定情報の作成例を示す図である。
【図４】本実施の形態における第１の情報記録方法の記録手順の一例を示したフローチャートである。
【図５】本実施の形態における第２の情報記録方法の記録手順の一例を示したフローチャートである。
【図６】第１の情報記録方法と、第２の情報記録方法とを纏めて図示したものである。
【符号の説明】
【００８０】
１  マイクロコンポ（情報記録装置）
１０  アンテナ
１１  チューナー部（受信手段）
１２  ＡＵＸ端子
１３  表示部
１４  操作部
１６  ＣＤ再生部
１７  システムマイコン（検出手段の一部、コンテンツ記録手段の一部、履歴情報蓄積手段に対応）
１９  入力切替部（コンテンツ記録手段の一部に対応）
２０  ＤＳＰ（エンコーダ／デコーダ；コンテンツ記録手段の一部に対応）
２５  記録再生部（検出手段の一部、コンテンツ記録手段の一部に対応）
２６  メモリカードスロット（検出手段の一部、コンテンツ記録手段の一部に対応）
２６Ａ  メモリカードスロット（専用記録対応スロットに対応）
２６Ｂ  メモリカードスロット（専用記録非対応スロットに対応）
２７  メモリカード（記録媒体）
【図１】
2010056993.tif 000003
【図２】
2010056993.tif 000004
【図３】
2010056993.tif 000005
【図４】
2010056993.tif 000006
【図５】
2010056993.tif 000007
【図６】
2010056993.tif 000008